(57)【要約】    【課題】      傾きを検知するセンサー等を用いず、簡易な構成で撮影した写真の傾きを補正すること。    【解決手段】  写真撮影部１０３は、出力選択部１０２からボタン押下の信号を受け取った場合、被写体を撮影して撮影した写真の画像データを写真傾き情報付加部１０５に出力する。方向情報変換部１０４は、ボタンと撮影画像の方向とを対応付けて記憶し、入力されたボタン押下の信号から押下されたボタンに対応する方向の情報を写真傾き情報付加部１０５に出力する。写真傾き情報付加部１０５は、撮影した写真の画像データに撮影方向の情報を付加し、付加後のデータを写真画像記憶部１０６に出力する。  【選択図】      図１
2005311788.tif 000002
【特許請求の範囲】
【請求項１】
複数のボタンと、前記ボタンを用いて通信相手を特定して無線通信を行う通信手段と、被写体を撮影して撮影データを出力する撮影手段と、被写体撮影時に押下されているボタンに対応して撮影データに撮影手段を基準とした被写体の方向を決定する方向情報変換手段と、撮影データに撮影手段を基準とした被写体の方向の情報を付加する情報付加手段と、前記通信装置を用いて通信を行う場合に前記ボタンの押下されたことを前記通信装置に出力し、前記撮影手段が被写体を撮影している場合に前記ボタンの押下されたことを前記撮影手段に出力する選択手段と、を具備することを特徴とするカメラ付き通信装置。
【請求項２】
前記情報付加手段は、押下されたボタンと他のボタンとの相対方向を、前記撮影手段が撮影する被写体の方向と対応付けて方向の情報を付加することを特徴とする請求項１に記載のカメラ付き通信装置。
【請求項３】
前記情報付加手段は、前記複数のボタンの中心から押下されたボタンへの方向を、前記撮影手段が撮影する被写体の上方向として方向の情報を付加することを特徴とする請求項１に記載のカメラ付き通信装置。
【請求項４】
複数のボタンと、前記ボタンを用いて通信相手を特定して無線通信を行う通信手段と、被写体を撮影して撮影データを出力する撮影手段と、被写体撮影時に押下されているボタンに対応して撮影データに撮影手段を基準とした被写体の方向を、前記撮影手段の撮影面の方向に一致させる画像に回転変換する画像回転手段と、前記通信装置を用いて通信を行う場合に前記ボタンの押下されたことを前記通信装置に出力し、前記撮影手段が被写体を撮影している場合に前記ボタンの押下されたことを前記撮影手段に出力する選択手段と、具備することを特徴とするカメラ付き通信装置。
【請求項５】
前記画像回転手段は、押下されたボタンと他のボタンとの相対方向を、前記撮影手段が撮影する被写体の方向と対応付けて前記撮影手段の撮影面の方向に一致させる画像に変換することを特徴とする請求項４に記載のカメラ付き通信装置。
【請求項６】
前記画像回転手段は、前記複数のボタンの中心から押下されたボタンへの方向を、前記撮影手段が撮影する被写体の上方向として前記撮影手段の撮影面の方向に一致させる画像に変換することを特徴とする請求項４に記載のカメラ付き通信装置。
【請求項７】
オートフォーカス機能の焦点を固定するためのフォーカスロックボタンを備えることを特徴とする請求項１から請求項６のいずれかに記載のカメラ付き通信装置。
【請求項８】
被写体撮影時に押下されているボタンに対応して撮影データに撮影時の装置を基準とした被写体の方向の情報を付加された画像データから方向の情報を取り出して、撮影時の傾きを判定する傾き情報判定手段と、前記撮影時の傾きに基づいて画像を回転させる第１画像回転手段と、回転後の画像を表示する表示手段とを、具備することを特徴とする表示装置。
【請求項９】
複数のボタンと、画像表示時に押下されているボタンに対応して画像データに表示装置を基準とした被写体の方向を決定する方向情報変換手段と、前記画像回転手段から出力された画像を前記方向情報変換から出力された方向に一致させる画像に回転変換する第２画像回転手段と、を具備し、表示手段は、第２画像回転手段において処理された画像を表示することを特徴とする請求項７に記載の表示装置。
【請求項１０】
複数のボタンを用いて通信相手を特定して無線通信を行い、被写体を撮影して撮影データを出力し、被写体を撮影している場合に被写体撮影時に押下されているボタンに対応して撮影データに撮影時を基準とした被写体の方向を決定し、撮影データに撮影時を基準とした被写体の方向の情報を付加することを特徴とする撮影方法。
【請求項１１】
被写体撮影時に押下されているボタンに対応して撮影データに撮影時の装置を基準とした被写体の方向の情報を付加された画像データから方向の情報を取り出して、撮影時の傾きを判定し、前記撮影時の傾きに基づいて画像を回転させ、回転後の画像を表示することを特徴とする表示方法。
【発明の詳細な説明】
【技術分野】
【０００１】
本発明は、カメラ付き通信装置に関し、特に携帯電話機能とカメラ機能の両方を具備する装置に用いて好適なカメラ付き通信装置に関する。
【背景技術】
【０００２】
従来、カメラ装置は、撮影した写真に傾きの情報が付加されておらず、撮影した画像を後に閲覧する際、表示された画像の上下左右が正しく対応しておらず、利用者が表示画像の向きを修正する、または表示する閲覧端末装置の向きを変える必要があった。
【０００３】
この問題を解決するため、カメラの傾きを検知するセンサーを用い、センサーが検知した傾きを撮影した画像のデータに付加する装置が提案されている（例えば特許文献１）。
【特許文献１】特開２００１−１１９６６５号公報
【発明の開示】
【発明が解決しようとする課題】
【０００４】
しかしながら、従来の装置においては、カメラの傾きを検知するセンサーを組み込むなどの新たなデバイスを内蔵する必要があった。例えば、カメラ付き携帯電話では、センサー等の新たな部品を組み込むスペースが少ない。
【０００５】
本発明はかかる点に鑑みてなされたものであり、傾きを検知するセンサー等を用いず簡易な構成で撮影した写真の傾きを補正することのできるカメラ付き通信装置を提供することを目的とする。
【課題を解決するための手段】
【０００６】
本発明のカメラ付き通信装置は、複数のボタンと、前記ボタンを用いて通信相手を特定して無線通信を行う通信手段と、被写体を撮影して撮影データを出力する撮影手段と、被写体撮影時に押下されているボタンに対応して撮影データに撮影手段を基準とした被写体の方向を決定する方向情報変換手段と、撮影データに撮影手段を基準とした被写体の方向の情報を付加する情報付加手段と、前記通信装置を用いて通信を行う場合に前記ボタンの押下されたことを前記通信装置に出力し、前記撮影手段が被写体を撮影している場合に前記ボタンの押下されたことを前記撮影手段に出力する選択手段と、を具備する構成を採る。
【０００７】
本発明のカメラ付き通信装置は、前記情報付加手段は、押下されたボタンと他のボタンとの相対方向を、前記撮影手段が撮影する被写体の方向と対応付けて方向の情報を付加する構成を採る。
【０００８】
本発明のカメラ付き通信装置は、前記情報付加手段は、前記複数のボタンの中心から押下されたボタンへの方向を、前記撮影手段が撮影する被写体の上方向として方向の情報を付加する構成を採る。
【０００９】
これらの構成によれば、被写体撮影時に押下されているボタンに対応して撮影データにカメラを基準とした被写体の方向の情報を付加することにより、傾きを検知するセンサー等を用いず、簡易な構成で撮影した写真の傾きを補正することができる。
【００１０】
本発明のカメラ付き通信装置は、複数のボタンと、前記ボタンを用いて通信相手を特定して無線通信を行う通信手段と、被写体を撮影して撮影データを出力する撮影手段と、被写体撮影時に押下されているボタンに対応して撮影データに撮影手段を基準とした被写体の方向を、前記撮影手段の撮影面の方向に一致させる画像に回転変換する画像回転手段と、前記通信装置を用いて通信を行う場合に前記ボタンの押下されたことを前記通信装置に出力し、前記撮影手段が被写体を撮影している場合に前記ボタンの押下されたことを前記撮影手段に出力する選択手段と、具備する構成を採る。
【００１１】
本発明のカメラ付き通信装置は、前記画像回転手段は、押下されたボタンと他のボタンとの相対方向を、前記撮影手段が撮影する被写体の方向と対応付けて前記撮影手段の撮影面の方向に一致させる画像に変換する構成を採る。
【００１２】
本発明のカメラ付き通信装置は、前記画像回転手段は、前記複数のボタンの中心から押下されたボタンへの方向を、前記撮影手段が撮影する被写体の上方向として前記撮影手段の撮影面の方向に一致させる画像に変換する構成を採る。
【００１３】
これらの構成によれば、被写体撮影時に押下されているボタンに対応して撮影データにカメラを基準とした被写体の方向に基づいて、カメラ付き通信装置側において画像の回転処理を行うことにより、表示側において、撮影時のカメラの傾きを考慮する必要無しに、撮影被写体の上方向が表示面の上方向と一致する画像をとして表示することができる。
【００１４】
本発明のカメラ付き通信装置は、オートフォーカス機能の焦点を固定するためのフォーカスロックボタンを備える構成を採る。
【００１５】
この構成により、オートフォーカス機能を有するカメラ付き通信装置の操作性を向上させることができる。例えば、ボタンを半押しにして焦点を合わせ、完全に押して撮影をするような二段スイッチを用いずにオートフォーカス機能を有するカメラ付き通信装置の操作性を向上させることができる。
【００１６】
本発明の表示装置は、被写体撮影時に押下されているボタンに対応して撮影データに撮影時の装置を基準とした被写体の方向の情報を付加された画像データから方向の情報を取り出して、撮影時の傾きを判定する傾き情報判定手段と、前記撮影時の傾きに基づいて画像を回転させる第１画像回転手段と、回転後の画像を表示する表示手段とを、具備する構成を採る。
【００１７】
本発明の表示装置は、複数のボタンと、画像表示時に押下されているボタンに対応して画像データに表示装置を基準とした被写体の方向を決定する方向情報変換手段と、前記画像回転手段から出力された画像を前記方向情報変換から出力された方向に一致させる画像に回転変換する第２画像回転手段と、を具備し、表示手段は、第２画像回転手段において処理された画像を表示する構成を採る。
【００１８】
これらの構成によれば、画像を表示する表示装置の傾きに対応するボタンが押下された場合に、押下されたボタンに対応する傾きに画像を回転処理して記録した画像を再生表示することにより、記録した画像を任意の角度に表示させた状態でも正しい方向で表示することができる。
【００１９】
本発明の撮影方法は、複数のボタンを用いて通信相手を特定して無線通信を行い、被写体を撮影して撮影データを出力し、被写体を撮影している場合に被写体撮影時に押下されているボタンに対応して撮影データに撮影時を基準とした被写体の方向を決定し、撮影データに撮影時を基準とした被写体の方向の情報を付加するようにした。
【００２０】
この方法によれば、被写体撮影時に押下されているボタンに対応して撮影データにカメラを基準とした被写体の方向の情報を付加することにより、傾きを検知するセンサー等を用いず、簡易な構成で撮影した写真の傾きを補正することができる。
【００２１】
本発明の表示方法は、被写体撮影時に押下されているボタンに対応して撮影データに撮影時の装置を基準とした被写体の方向の情報を付加された画像データから方向の情報を取り出して、撮影時の傾きを判定し、前記撮影時の傾きに基づいて画像を回転させ、回転後の画像を表示するようにした。
【００２２】
この方法によれば、画像を表示する表示装置の傾きに対応するボタンが押下された場合に、押下されたボタンに対応する傾きに画像を回転処理して記録した画像を再生表示することにより、記録した画像を任意の角度に表示させた状態でも正しい方向で表示することができる。
【発明の効果】
【００２３】
以上説明したように、本発明のカメラ付き通信装置によれば、押下されているボタンに対応して撮影した画像データに装置（撮影手段）を基準とした被写体の方向の情報を付加することにより、傾きを検知するセンサー等を用いず、簡易な構成で撮影した写真の傾きを補正することができる。
【００２４】
また、押下されているボタンに対応して再生した画像データに装置を基準とした被写体の方向の情報を付加することにより、傾きを検知するセンサー等を用いず、簡易な構成で撮影した写真の傾きを補正して表示することができる。
【００２５】
また、オートフォーカス機能の焦点を固定するためのフォーカスロックボタンを備えることで、オートフォーカス機能を有するカメラ付き通信装置の操作性を向上させることができる。例えば、ボタンを半押しにして焦点を合わせ、完全に押して撮影をするような二段スイッチを用いずにオートフォーカス機能を有するカメラ付き通信装置の操作性を向上させることができる。
【発明を実施するための最良の形態】
【００２６】
本発明の骨子は、押下されているボタンに対応して撮影した画像データに装置を基準とした被写体の方向の情報を付加することにより、傾きを検知するセンサー等を用いず、簡易な構成で撮影した写真の傾きを補正することである。
【００２７】
以下、本発明の実施の形態について図面を参照して詳細に説明する。
【００２８】
（実施の形態１）
図１は、本発明の実施の形態１に係るカメラ付き通信装置および表示装置の構成を示すブロック図である。図１のカメラ付き通信装置１００は、ボタン１０１−１〜１０１−１０と、出力選択部１０２と、写真撮影部１０３と、方向情報変換部１０４と、写真傾き情報付加部１０５と、写真画像記憶部１０６と、無線通信部１０８とから主に構成される。また、表示装置１５０は、写真傾き情報判別部１５１と、写真画像回転処理部１５２と、写真画像表示部１５３から主に構成される。
【００２９】
図１において、ボタン１０１−１〜１０１−１０は、押下等の操作を検出し、検出されたことを電気信号等で出力選択部１０２に出力する。例えば、ボタン１０１−１〜１０１−１０は、数字の「１」〜「９」、「０」に対応している。
【００３０】
出力選択部１０２は、写真撮影部１０３が写真を撮影している場合、ボタン１０１−１〜１０１−１０からの出力のうち方向を示す有効なボタンからの出力のみを方向情報変換部１０４に出力する。
【００３１】
また、出力選択部１０２は、無線通信部１０８が無線通信（例えば、定期的な制御信号のやり取りを除いた通話、データ伝送等の無線通信）を行っている場合、ボタン１０１−１〜１０１−１０からの出力を無線通信部１０８に出力する。
【００３２】
図２は、本実施の携帯のカメラ装置の出力選択部が具備するテーブルの一例を示す図である。図２に示すように、例えば、ボタン１０１−１〜１０１−１０のうち数字の「２」「４」「６」「０」に対応するボタン１０１−２、１０１−４、１０１−６、１０１−１０が押下された場合のみ、出力選択部１０２は、ボタン押下を示す信号を方向情報変換部１０４に出力する。そして、無線通信部１０８が無線通信を行っている場合、ボタン１０１−１〜１０１−１０からの出力を無線通信部１０８に出力する。
【００３３】
写真撮影部１０３は、出力選択部１０２からボタン押下の信号を受け取った場合、被写体を撮影して撮影した写真の画像データを写真傾き情報付加部１０５に出力する。また、写真撮影部１０３は、動作状況を出力選択部１０２に出力する。
【００３４】
方向情報変換部１０４は、ボタンと撮影画像の方向とを対応付けて記憶し、入力されたボタン押下の信号から押下されたボタンに対応する方向の情報を写真傾き情報付加部１０５に出力する。
【００３５】
図３は、本実施の携帯のカメラ装置の方向情報変換部が内蔵するテーブルの一例を示す図である。図３において、例えば、数字の「２」に対応するボタン１０１−２は、撮影する被写体の上方向と、カメラ付き通信装置１００の上方向が同じ、すなわち傾きが０度とする。また、数字の「６」に対応するボタン１０１−６は、撮影する被写体の上方向からみて、カメラ付き通信装置１００の上方向が時計方向に２７０度傾いているとする。同様に、数字の「０」に対応するボタン１０１−１０は、撮影する被写体の上方向からみて、カメラ付き通信装置１００の上方向が１８０度傾いているとする。そして、数字の「４」に対応するボタン１０１−４は、撮影する被写体の上方向からみて、カメラ付き通信装置１００の上方向が時計方向に９０度傾いているとする。
【００３６】
写真傾き情報付加部１０５は、撮影した写真の画像データに撮影方向の情報を付加し、付加後のデータを写真画像記憶部１０６に出力する。
【００３７】
写真画像記憶部１０６は、方向情報が付加された画像データを記憶する。
【００３８】
無線通信部１０８は、出力選択部１０２から出力されたボタン押下の情報より、通信相手を特定して、無線通信を行う。例えば、携帯電話のように、ボタンの押下から通信相手の電話番号を特定して通話を行う。また、無線通信部１０８は、動作状況を出力選択部１０２に出力する。
【００３９】
写真傾き情報判別部１５１は、写真画像記憶部１０６から方向情報が付加された画像データを取り出し、この画像データを解析して方向の情報と画像データとをそれぞれ取り出して写真画像回転処理部１５２に出力する。
【００４０】
写真画像回転処理部１５２は、方向データに基づいて画像を回転させる処理を行い、回転処理後の画像データを写真画像表示部１５３に出力する。例えば、撮影する被写体の上方向からみて、カメラ付き通信装置１００の上方向が反時計方向に９０度傾いている場合、撮影された画像は、時計方向に９０度傾いた画像になっている。そこで、写真画像回転処理部１５２は、画像を反時計方向に９０度回転させる画像処理を行い、回転処理後の画像データを写真画像表示部１５３に出力する。
【００４１】
写真画像表示部１５３は、写真画像回転処理部１５２における回転処理後の画像データを表示する。
【００４２】
カメラ付き通信装置１００のより具体的な例を図４に示す。図４は、本実施の形態のカメラ付き通信装置の一例を示す図である。図４のカメラ付き通信装置２００は、図１のカメラ付き通信装置１００と表示装置１５０とが一体となっている例である。
【００４３】
図４において、写真撮影部１０３、写真画像表示部１５３はそれぞれ図１に対応している。図４の撮影ボタン２０１は図１のボタン１０１−２に対応し、図４の撮影ボタン２０２は図１のボタン１０１−４に対応し、図４の撮影ボタン２０３は図１のボタン１０１−１０に対応し、図４の撮影ボタン２０４は図１のボタン１０１−６に対応している。
【００４４】
例えば、カメラ付き通信装置２００を縦に扱って撮影する場合、すなわちカメラ付き通信装置２００の上方向と被写体の上方向が同じ方向で撮影する場合、カメラシャッターとして押下するボタンとして、撮影ボタン２０１を用いる。
【００４５】
カメラ付き通信装置２００を右に傾け、横に扱って撮影する場合、すなわちカメラ付き通信装置２００の上方向が被写体の上方向からみて時計方向に９０度傾けて撮影する場合、カメラシャッターとして押下するボタンとして、撮影ボタン２０２を用いる。
【００４６】
カメラ付き通信装置２００を上下逆にして撮影する場合、すなわちカメラ付き通信装置２００の上方向が被写体の上方向からみて時計方向に１８０度傾けて撮影する場合、カメラシャッターとして押下するボタンとして、撮影ボタン２０３を用いる。
【００４７】
カメラ付き通信装置２００を左に傾け、横に扱って撮影する場合、すなわちカメラ付き通信装置２００の上方向が被写体の上方向からみて時計方向に２７０度傾けて撮影する場合、カメラシャッターとして押下するボタンとして、撮影ボタン２０４を用いる。
【００４８】
いずれかの撮影に対応するボタンが押し下げられたとき、写真撮影部１０３において、写真画像が撮影され、写真傾き情報付加部１０５において、押し下げられたボタンに応じたカメラ傾き情報が画像のデータに付加され、写真画像記憶部１０６に蓄積される。
【００４９】
なお、写真画像記憶部１０６は、例えばカードタイプの着脱可能なメモリカードを用いても良いし、一般的に用いられている半導体メモリ、ハードディスクメモリ、さらには有線、無線で接続された接続先に構成される各種記憶装置でもよい。
【００５０】
また、カメラの傾き情報は、たとえばＥｘｉｆフォーマットなどのカメラ情報用フォーマットに変換することが望ましい。
【００５１】
傾き情報が付加され、写真画像記憶部１０６に記憶された画像データは、表示装置１５０に出力される。この撮影した画像データを閲覧する場合、写真傾き情報判別部１５１では、例えばＥｘｉｆフォーマットで記述されたカメラの傾き情報を解読し、撮影時のカメラの傾きの情報を写真画像回転処理部１５２に出力する。
【００５２】
写真画像回転処理部１５２は、フレームメモリ等で構成され、カメラの傾きの情報に応じて、画像データの書き込み、読み出しが行われ、撮影した画像データの上方向が被写体の上方向と同じになるように回転処理がなされ、写真画像表示部１５３に写真画像として渡される。そして、写真画像表示部１５３では、被写体の上方向が表示で上になる正しい方向にて写真が表示される。
【００５３】
このように、本実施の形態のカメラ付き通信装置によれば、被写体撮影時に押下されているボタンに対応して撮影データにカメラを基準とした被写体の方向の情報を付加することにより、傾きを検知するセンサー等を用いず、簡易な構成で撮影した写真の傾きを補正することができる。
【００５４】
なお、上記説明では、傾きが９０度単位の例について説明しているが、傾きの角度については特に限定されない。例えば４５度単位でもよいし、１８０度単位でも良い。
【００５５】
例えば、写真画像表示部１５３の表示面の縦と横の長さが異なる場合、左右９０度の回転を行わないようにし、０度または１８０度のみの回転とすることもできる。また、写真画像表示部１５３の縦と横の長さが異なる場合、写真画像回転処理部１５２は、回転処理後の画像のサイズを表示する画像の縦と横のいずれかにフィットするように拡大縮小を行っても良い。
【００５６】
また、図４では、カメラ付き通信装置１００と表示装置１５０が一体となっている例について説明しているが、カメラ付き通信装置１００と表示装置１５０とは別々の装置でもよい。例えば、表示装置１５０は、写真を表示可能な機器、例えばパソコン等などの機器を用い、写真傾き情報判別部１５１および写真画像回転処理部１５２の機能をソフトウェアにて実行し、ディスプレイ上で表示しても良い。
【００５７】
また、記録する画像は静止画像に限定されず、動画像に適用しても良い。
【００５８】
また、上記説明では、撮影ボタン２０１〜２０４が押下された場合に、傾き情報を付加しているが、他のボタンが押下された場合に傾き情報を付加してもよい。例えば、カーソル上移動キー２０７、カーソル左移動キー２０８、カーソル下移動キー２０９、カーソル右移動キー２１０が押下された場合に、傾き情報を画像データに付加しても良い。この場合、カーソル上移動キー２０７が押下された場合、撮影する被写体の上方向と、カメラ付き通信装置２００の上方向が同じ、すなわち傾きが０度とする。
【００５９】
また、カーソル左移動キー２０８が押下された場合、撮影する被写体の上方向からみて、カメラ付き通信装置２００の上方向が時計方向に９０度傾いているとする。同様に、カーソル下移動キー２０９が押下された場合、撮影する被写体の上方向からみて、カメラ付き通信装置２００の上方向が１８０度傾いているとする。そして、カーソル右移動キー２１０が押下された場合、撮影する被写体の上方向からみて、カメラ付き通信装置２００の上方向が時計方向に２７０度傾いているとする。
【００６０】
また、傾きに対応するボタンを押下するタイミングは特に限定されず、写真撮影の一連の手順の中で行われればよい。例えば、フォーカスロックボタン２２０を押下して、被写体の焦点を合わせ、その後押下された撮影ボタン２０１〜２０４、またはカーソル上移動キー２０７、カーソル左移動キー２０８、カーソル下移動キー２０９、カーソル右移動キー２１０に対応する傾き情報を撮影した画像データに付加しても良い。
【００６１】
（実施の形態２）
図５は、本発明の実施の形態２に係るカメラ付き通信装置の構成を示すブロック図である。但し、図１と同一の構成となるものについては、図１と同一番号を付し、詳しい説明を省略する。図５のカメラ付き通信装置５００は、写真画像回転処理部５０１を具備し、カメラ付き通信装置側において画像の回転処理を行う点が図１のカメラ付き通信装置１００と異なる。
【００６２】
図５において、写真撮影部１０３は、出力選択部１０２からボタン押下の信号を受け取った場合、被写体を撮影して撮影した写真の画像データを写真画像回転処理部５０１に出力する。
【００６３】
方向情報変換部１０４は、ボタンと撮影画像の方向とを対応付けて記憶し、入力されたボタン押下の信号から押下されたボタンに対応する方向の情報を写真画像回転処理部５０１に出力する。
【００６４】
写真画像回転処理部５０１は、写真撮影部１０３において撮影された画像データを方向情報変換部１０４から出力された方向データに基づいて画像を回転させる処理を行い、回転処理後の画像データを写真画像記憶部１０６に出力する。
【００６５】
写真画像表示部１５３は、写真画像記憶部１０６に記憶された回転処理後の画像を表示する。
【００６６】
このように、本実施の形態のカメラ付き通信装置によれば、被写体撮影時に押下されているボタンに対応して撮影データにカメラを基準とした被写体の方向に基づいて、カメラ付き通信装置側において画像の回転処理を行うことにより、表示側において、撮影時のカメラの傾きを考慮する必要無しに、撮影被写体の上方向が表示面の上方向と一致する画像をとして表示することができる。
【００６７】
（実施の形態３）
図６は、本発明の実施の形態３に係る表示装置の構成を示すブロック図である。但し、図１と同一の構成となるものについては、図１と同一番号を付し、詳しい説明を省略する。図６の表示装置６００は、ボタン６０１−１〜６０１−４と、方向情報変換部６０２と、写真画像回転処理部６０３とを具備し、画像を表示する表示装置の傾きに対応するボタンが押下された場合に、押下されたボタンに対応する傾きに画像を回転処理して記録した画像を再生表示する点が図１の表示装置と異なる。
【００６８】
ボタン６０１−１〜６０１−４は、押下等の操作を検出し、検出されたことを電気信号等で方向情報変換部６０２に出力する。
【００６９】
方向情報変換部６０２は、ボタンと表示装置６００の傾きとを対応付けて記憶し、入力されたボタン押下の信号から押下されたボタンに対応する方向の情報を写真画像回転処理部６０３に出力する。
【００７０】
図７は、本実施の表示装置の方向情報変換部が内蔵するテーブルの一例を示す図である。図７において、ボタン６０１−１は、表示装置６００の上方向の傾きが０度とする。また、ボタン６０１−２は、表示装置６００の上方向が時計方向に２７０度傾いているとする。同様に、ボタン６０１−４は、表示装置６００の上方向が１８０度傾いているとする。そして、ボタン６０１−３は、表示装置６００の上方向が時計方向に９０度傾いているとする。
【００７１】
写真画像回転処理部６０３は、方向情報変換部６０２から出力された方向データに基づいて、写真画像回転処理部１５２から出力された画像を回転させる処理を行い、回転処理後の画像データを写真画像表示部１５３に出力する。
【００７２】
例えば、写真画像記憶部１０６にカメラの傾き情報が時計方向に９０度と付加されている画像を再生する場合、まず、写真画像回転処理部１５２において、記憶した画像を９０度回転させる。
【００７３】
そして、ボタン６０１−１が押下された場合、写真画像回転処理部６０３は回転処理を行わずに画像データを写真画像表示部１５３に出力する。この結果、写真画像表示部１５３は、記憶された画像を９０度時計方向に回転処理させた画像を表示する。
【００７４】
また、ボタン６０１−２が押下された場合、写真画像回転処理部６０３は、写真画像回転処理部１５２から出力された画像データをさらに２７０度回転処理させた写真画像表示部１５３に出力する。この結果、写真画像表示部１５３は、記憶された画像を３６０度時計方向に回転処理させた（すなわち画像が回転していない）画像を表示する。
【００７５】
また、ボタン６０１−３が押下された場合、写真画像回転処理部６０３は、写真画像回転処理部１５２から出力された画像データをさらに９０度回転処理させた写真画像表示部１５３に出力する。この結果、写真画像表示部１５３は、記憶された画像を１８０度時計方向に回転処理させた画像を表示する。
【００７６】
また、ボタン６０１−４が押下された場合、写真画像回転処理部６０３は、写真画像回転処理部１５２から出力された画像データをさらに１８０度回転処理させた写真画像表示部１５３に出力する。この結果、写真画像表示部１５３は、記憶された画像を２７０度時計方向に回転処理させた画像を表示する。
【００７７】
このように、本実施の形態の表示装置によれば、画像を表示する表示装置の傾きに対応するボタンが押下された場合に、押下されたボタンに対応する傾きに画像を回転処理して記録した画像を、さらに撮影時のカメラ装置の傾きに基づいて回転処理して再生表示する。これにより、記録した画像を任意の角度に表示させた状態でも正しい方向で表示することができる。
【００７８】
なお、ボタン６０１−１〜６０１−４は、ボタン１０１−１〜１０１−１０と共用する構成であってもよい。図８は、この場合における本発明の実施の形態３に係る表示装置の構成を示すブロック図である。但し、図１または図６と同一の構成となるものについては、図１または図６と同一番号を付し、詳しい説明を省略する。
【００７９】
出力選択部８０２は、写真撮影部１０３が写真を撮影している場合、ボタン１０１−１〜１０１−１０からの出力のうち方向を示す有効なボタンからの出力のみを方向情報変換部１０４に出力する。
【００８０】
また、出力選択部８０２は、無線通信部１０８が無線通信（例えば、定期的な制御信号のやり取りを除いた通話、データ伝送等の無線通信）を行っている場合、ボタン１０１−１〜１０１−１０からの出力を無線通信部１０８に出力する。
【００８１】
そして、出力選択部８０２は、写真撮影部１０３が写真を撮影しておらず、かつ無線通信部１０８が無線通信を行っていない場合に、ボタン１０１−１〜１０１−１０からの出力のうち方向を示す有効なボタンからの出力のみを方向情報変換部６０２に出力する。
【００８２】
なお、本実施の形態では、カメラ付き通信装置の傾きに対応した画像回転処理と、表示装置の傾きに対応した画像回転処理とを個々に行っているが、この二つの回転処理を一回の回転処理で行うこともできる。例えば、カメラ付き通信装置の傾きに対応した画像回転処理における回転角と、表示装置の傾きに対応した画像回転処理における回転角とを加算し、加算した回転角で画像回転処理を行うことにより実現できる。
【００８３】
（実施の形態４）
図９は、本発明の実施の形態４に係る表示装置の構成を示すブロック図である。但し、図６と同一の構成となるものについては、図６と同一番号を付し、詳しい説明を省略する。図９の表示装置９００は、写真画像回転処理部６０３を具備し、カメラ付き通信装置側において画像の回転処理を行う点が図６の表示装置６００と異なる。
【００８４】
実施の形態４は、実施の形態２と実施の形態３を組み合わせた例である。
【００８５】
図９において、方向情報変換部１０４は、ボタンと撮影画像の方向とを対応付けて記憶し、入力されたボタン押下の信号から押下されたボタンに対応する方向の情報を写真画像回転処理部５０１に出力する。
【００８６】
写真画像回転処理部５０１は、写真撮影部１０３において撮影された画像データを方向情報変換部１０４から出力された方向データに基づいて画像を回転させる処理を行い、回転処理後の画像データを写真画像記憶部１０６に出力する。
【００８７】
写真画像回転処理部６０３は、方向情報変換部６０２から出力された方向データに基づいて、写真画像記憶部１０６から出力された画像を回転させる処理を行い、回転処理後の画像データを写真画像表示部１５３に出力する。
【００８８】
例えば、撮影画像が９０度回転処理された画像を写真画像記憶部１０６から読み出して画像を再生する時、ボタン６０１−１が押下された場合、写真画像回転処理部６０３は回転処理を行わずに画像データを写真画像表示部１５３に出力する。
【００８９】
また、ボタン６０１−２が押下された場合、写真画像回転処理部６０３は、写真画像記憶部１０６から読み出した画像データを２７０度回転処理させた写真画像表示部１５３に出力する。
【００９０】
また、ボタン６０１−３が押下された場合、写真画像回転処理部６０３は、写真画像記憶部１０６から読み出した画像データを９０度回転処理させた写真画像表示部１５３に出力する。
【００９１】
また、ボタン６０１−４が押下された場合、写真画像回転処理部６０３は、写真画像記憶部１０６から読み出した画像データを１８０度回転処理させた写真画像表示部１５３に出力する。
【００９２】
このように、本実施の表示装置によれば、被写体撮影時に押下されているボタンに対応して撮影データにカメラを基準とした被写体の方向に基づいて、カメラ付き通信装置側において画像の回転処理を行い、画像を表示する表示装置の傾きに対応するボタンが押下された場合に、押下されたボタンに対応する傾きに画像を回転処理して記録した画像を再生表示することにより、記録した画像を任意の角度に表示させた状態でも正しい方向で表示することができる。
【００９３】
なお、本発明は上記実施の形態に限定されず、種々変更して実施することが可能である。例えば、上記実施の形態では、カメラ付き通信装置および表示装置として行う場合について説明しているが、これに限られるものではなく、この表示方法をソフトウェアとして行うことも可能である。
【００９４】
例えば、上記表示方法を実行するプログラムを予めＲＯＭ（Read Only Memory）に格納しておき、そのプログラムをＣＰＵ（Central Processor Unit）によって動作させるようにしても良い。
【００９５】
また、上記表示方法を実行するプログラムをコンピュータで読み取り可能な記憶媒体に格納し、記憶媒体に格納されたプログラムをコンピュータのＲＡＭ（Random Access Memory）に記録して、コンピュータをそのプログラムにしたがって動作させるようにしても良い。
【産業上の利用可能性】
【００９６】
本発明のカメラ付き通信装置および表示装置は、携帯電話等の無線通信装置に用いて好適である。
【図面の簡単な説明】
【００９７】
【図１】本発明の実施の形態１に係るカメラ付き通信装置および表示装置の構成を示すブロック図
【図２】上記実施の携帯のカメラ装置の出力選択部が具備するテーブルの一例を示す図
【図３】上記実施の携帯のカメラ装置の方向情報変換部が内蔵するテーブルの一例を示す図
【図４】上記実施の形態のカメラ付き通信装置の一例を示す図
【図５】本発明の実施の形態２に係るカメラ付き通信装置の構成を示すブロック図
【図６】本発明の実施の形態３に係る表示装置の構成を示すブロック図
【図７】上記実施の形態の表示装置の方向情報変換部が内蔵するテーブルの一例を示す図
【図８】本発明の実施の形態３に係る表示装置の構成を示すブロック図
【図９】本発明の実施の形態４に係る表示装置の構成を示すブロック図
【符号の説明】
【００９８】
１０１−１〜１０１−１０、２０１、２０２、２０３、２０４、６０１−１〜６０１−４  ボタン
１０２、８０２  出力選択部
１０３  写真撮影部
１０４、６０２  方向情報変換部
１０５  写真傾き情報付加部
１０６  写真画像記憶部
１０８  無線通信部
１５１  写真傾き情報判別部
１５２、５０１、６０３  写真画像回転処理部
１５３  写真画像表示部
２２０  フォーカスロックボタン
【図１】
2005311788.tif 000003
【図２】
2005311788.tif 000004
【図３】
2005311788.tif 000005
【図４】
2005311788.tif 000006
【図５】
2005311788.tif 000007
【図６】
2005311788.tif 000008
【図７】
2005311788.tif 000009
【図８】
2005311788.tif 000010
【図９】
2005311788.tif 000011